(57)【要約】【課題】蓋体の開閉部の閉じた状態を維持できる構成の蓋付き貼箱を提供する。【解決手段】上面開放形状の箱体と、この箱体の背面板上端に折線を介して連設された蓋体とから成り、この蓋体は開閉部を有する構成とされた蓋付き貼箱において、蓋体の開閉部の角部に沿って現れた折線に凹み部が形成されており、箱体には突出部が形成されていることを特徴とする。【選択図】図１
2008230638.tif 000002
【特許請求の範囲】
【請求項１】
上面開放形状の箱体と、この箱体の背面板上端に折線を介して連設された蓋体とから成り、この蓋体は開閉部を有する構成とされた蓋付き貼箱において、
蓋体の開閉部の角部に沿って現れた折線に凹み部が形成されており、箱体には突出部が形成されていることを特徴とする、蓋付き貼箱。
【請求項２】
凹み部はミシン目又はハーフカット又は逆罫によって形成されていることを特徴とする、請求項１に記載の蓋付き貼箱。
【請求項３】
凹み部は、蓋体の正面板と側面板との角部に沿って現れた、前記正面板と側面板とを貼り合わせる貼着板の折線の上部に形成されており、突出部は箱体の側面板における正面板側の側縁上部に形成されていることを特徴とする、請求項１又は請求項２に記載の蓋付き貼箱。
【請求項４】
突出部の下端部に面取り部が形成されていることを特徴とする、請求項１〜請求項３のいずれか一に記載の蓋付き貼箱。
【発明の詳細な説明】
【技術分野】
【０００１】
この発明は、蓋付き貼箱の技術分野に属し、蓋体の開閉部が意に反して開かない構成とされた蓋付き貼箱に関する。
【背景技術】
【０００２】
従来の蓋付き貼箱は、底面板に折線を介して正面板と背面板と左右の側面板とが連設されており、前記折線で折り曲げられた前記正面板と背面板と左右の側面板とが貼着板を介して貼り合わされた上面開放形状の箱体と、この箱体の背面板上端に折線を介して上面板が連設され、更に前記上面板に折線を介して正面板と左右の側面板とが連設されており、上記箱体を覆うように前記折線で折り曲げられた正面板と左右の側面板とが貼着板を介して貼り合わされた蓋体とから成る。この蓋体は開閉部を有し、同開閉部は背面板側の折線をヒンジとして開閉する構成とされている。
【０００３】
しかし、蓋体の開閉部の閉じた状態を維持できずに意に反して開き、内容物が飛び出してしまう問題点があった。
【０００４】
そこで、例えば特許文献１の蓋付き貼箱は、側面板の上縁部に突出部が形成されており、蓋体の開閉部を閉じた際に、前記突出部が前記開閉部の貼着板に引っ掛かり閉じた状態を維持できる構成とされている。
【０００５】
【特許文献１】実用新案登録第３１０２４２６号公報
【発明の開示】
【発明が解決しようとする課題】
【０００６】
本発明の目的は、蓋体の開閉部の閉じた状態を維持できる構成の蓋付き貼箱を提供することである。
【課題を解決するための手段】
【０００７】
上記背景技術の課題を解決するための手段として、請求項１に記載した発明に係る蓋付き貼箱は、
上面開放形状の箱体と、この箱体の背面板上端に折線を介して連設された蓋体とから成り、この蓋体は開閉部を有する構成とされた蓋付き貼箱において、
蓋体の開閉部の角部に沿って現れた折線に凹み部が形成されており、箱体には突出部が形成されていることを特徴とする。
【０００８】
請求項２記載の発明は、請求項１に記載の蓋付き貼箱において、
凹み部はミシン目又はハーフカット又は逆罫によって形成されていることを特徴とする。
【０００９】
請求項３記載の発明は、請求項１又は請求項２に記載の蓋付き貼箱において、
凹み部は、蓋体の正面板と側面板との角部に沿って現れた、前記正面板と側面板とを貼り合わせる貼着板の折線の上部に形成されており、突出部は箱体の側面板における正面板側の側縁上部に形成されていることを特徴とする。
【００１０】
請求項４記載の発明は、請求項１〜請求項３のいずれか一に記載の蓋付き貼箱において、
突出部の下端部に面取り部が形成されていることを特徴とする。
【発明の効果】
【００１１】
本発明に係る蓋付き貼箱は、蓋体の開閉部を閉じると、箱体の突出部が開閉部の凹み部に嵌め込まれ、前記開閉部の閉じた状態を維持できる。特に、凹み部が蓋体の正面板と側面板との角部に沿って現れた、前記正面板と側面板とを貼り合わせる貼着板の折線の上部に形成されると、合理的な構成となり、しかも凹み部が外観から視認されず意匠性に優れている。
【発明を実施するための最良の形態】
【００１２】
本発明に係る蓋付き貼箱の実施形態を図面に基いて説明する。
【００１３】
本実施形態の蓋付き貼箱１は上面開放形状の箱体２と前記箱体２を覆う蓋体３とから成る。
【００１４】
箱体２は、底面板４に折線Ｌ１〜Ｌ４を介して正面板５と背面板６と左右の側面板７、８とが連設されている。正面板５に折線Ｌ５、Ｌ６を介して、更に背面板６に折線Ｌ７、Ｌ８を介して貼着板９が連設されており、上記折線Ｌ１〜Ｌ４で折り曲げられた正面板５と背面板６と左右の側面板７、８とが貼着板９を介して貼り合わされている。ちなみに、本実施形態の正面板５は、外側の正面板５ａと内側の正面板５ｂとが連結板５ｃで連結され、前記内側の正面板５ｂに折線Ｌ９を介して連設された貼着板１０が底面板４に貼り付けられた構成とされている。
【００１５】
蓋体３は、前記箱体２の背面板６上端に折線Ｌ１０を介して上面板１１が連設され、更に前記上面板１１に折線Ｌ１１〜Ｌ１３を介して正面板１２と左右の側面板１３、１４とが連設されている。そして、側面板１３（１４）に折線Ｌ１４（Ｌ１５）を介して貼着板１５が連設されており、上記折線Ｌ１１〜Ｌ１３で折り曲げられた正面板１２と左右の側面板１３、１４とが貼着板１５を介して貼り合わされている。
【００１６】
この蓋体３は、上記折線Ｌ１０と平行に上面板１１の略中央位置（但し、この限りでない。）に折線Ｌ１６が形成され、さらに前記折線Ｌ１０から連続するように左右両側面板１３、１４に切れ目Ｃ１、Ｃ２が形成されており、前記折線Ｌ１０をヒンジとして開閉部１６が開閉する構成とされている（図１及び図２を参照）。
【００１７】
つまり、上記蓋付き貼箱１は、通例の蓋付き貼箱と略同様の構成とされているが、蓋体３の開閉部１６の角部に沿って現れた折線にミシン目又はハーフカット部又は逆罫が形成されて凹み部１７とされており、この凹み部１７に嵌め込まれる突出部１８が箱体２に形成されていることを特徴とする（請求項１及び請求項２記載の発明）。
【００１８】
凹み部１７は、蓋体３の正面板１２と側面板１３（１４）との角部に沿って現れた、前記正面板１２と側面板１３（１４）とを貼り合わせる貼着板１５の折線Ｌ１４（Ｌ１５）の上部に形成されている（図２及び図３を参照）。つまり、折線は折り曲げられる方向に押罫が押されて隆起しているので、その隆起部分の少なくとも一部にミシン目又はハーフカット部を形成して凹み部１７としている。そのため、合理的な構成であり、しかも凹み部１７が外観から視認させず意匠性に優れている。但し、逆罫を形成して凹み部１７としても良い。
【００１９】
突出部１８は、箱体２の側面板７（８）の正面板側の側縁上部において、前記側面板７（８）と同一面内に一体的に形成されており、上記凹み部１７に良好に嵌め込むことができる大きさ、形状（本実施形態では矩形状）とされている（図５を参照、請求項３記載の発明）。突出部１８は、側面板７（８）と正面板５とが貼着板９を介して貼り合わされ剛性が高められた角部近傍に形成されているので、突出部１８を凹み部１７に嵌め込む際に前記突出部１８が捩れることがなく、確実に嵌め込むことができる。特に、本実施形態の正面板５は外側の正面板５ａと内側の正面板５ｂとが連結板５ｃで連結され、前記内側の正面板５ｂに折線Ｌ９を介して連設された貼着板１０が底面板４に貼り付けられた構成とされているため、一層剛性が高く、より確実に突出部１８を凹み部１７に嵌め込むことができる。
【００２０】
しかも、突出部１８は側面板７（８）と同一面内に一体的に形成されており、蓋体３の開閉部１６の開閉方向に対して、突出部１８と側面板７（８）との境界が平行に配置されるので、前記開閉部１６の開閉を繰り返しても突出部１８と側面板７（８）との境界が折れ曲がって脆くなることがない。また、突出部１８を容易に形成できる。
【００２１】
このとき、突出部１８の下端部に面取り部１８ａが形成されていることが好ましい（請求項４記載の発明）。蓋体３の開閉部１６を開く際に、凹み部１７が突出部１８の下端部に引っ掛かることがなく、スムーズに前記開閉部１６を開くことができる。しかも、突出部１８の下端部の損傷を防ぐことができる。
【００２２】
上記構成の蓋付き貼箱１は、蓋体３の開閉部１６を閉じると、箱体２の突出部１８が開閉部１６の凹み部１７に嵌め込まれ、前記開閉部１６の閉じた状態を維持できる（図４及び図５を参照）。
【００２３】
なお、上記実施形態の蓋付き貼箱１は、凹み部１７が蓋体３の正面板１２と側面板１３（１４）との角部に沿って現れた、前記正面板１２と側面板１３（１４）とを貼り合わせる貼着板１５の折線Ｌ１４（Ｌ１５）の上部に形成されており、突出部１８が箱体２の側面板５（６）の正面板側の側縁上部に形成されているが、この限りでない。要するに、蓋体３の開閉部１６の角部に沿って現れた折線にミシン目又はハーフカット部又は逆罫が形成されて凹み部１７とされ、この凹み部１７に嵌め込まれる突出部１８が箱体２に形成されていれば良い。
【図面の簡単な説明】
【００２４】
【図１】本発明に係る蓋付き貼箱の開閉部を開いた状態を示した概略斜視図である。
【図２】ブランクの一例を示した平面図である。
【図３】凹み部の周辺を拡大して示した概略斜視図である。
【図４】本発明に係る蓋付き貼箱の開閉部を閉じた状態を示した概略斜視図である。
【図５】凹み部に突出部が嵌め込まれた状態を示した断面図である。
【符号の説明】
【００２５】
１  蓋付き貼箱
２  箱体
３  蓋体
４  底面板
５  正面板
６  背面板
７、８  側面板
９、１０  貼着板
１１  上面板
１２  正面板
１３、１４  側面板
１５  貼着板
１６  開閉部
１７  凹み部
１８  突出部
１８ａ  面取り部
Ｌ１〜Ｌ１５  折線
Ｃ１、Ｃ２  切れ目
【図１】
2008230638.tif 000003
【図２】
2008230638.tif 000004
【図３】
2008230638.tif 000005
【図４】
2008230638.tif 000006
【図５】
2008230638.tif 000007